(57)【要約】      （修正有）【課題】カードの誤挿入によるカードやカード保持部材の破損を未然に抑制するカード装着装置の提供。【解決手段】開口部３ｅを介してカード１１が挿入されるカード室３ｆを有する筐体と、カードとの対向面１２ａを有するとともに、移動可能に前記カード室に収納されるカード保持部材１２と、を具え、前記筐体は、前記カード室の内壁からそのカード室内に突出する突部３ｇを有し、前記カード保持部材は、前記筐体の前記開口部から露出する引き手部１２ｂを一端部に有するとともに、カード係合部１２ｃを有し、かつ、前記対向面と反対の側の面に、前記カード保持部材の前記進出移動および前記後退移動方向に延在する案内部１２ｅを有し、前記突部３ｇは、前記案内部と係合して前記カード保持部材１２の進出移動および後退移動を案内する。また、カードとの対向面１２ａの反対側にカード１１を挿入した場合は前記突部３ｇによりカード挿入が阻止される。【選択図】図１
2008130461.tif 000002
【特許請求の範囲】
【請求項１】
開口部を介してカードが挿入されるカード室を有する筐体と、
カードとの対向面を有するとともに、前記開口部より前記筐体外部側に進出移動および前記筐体内部側に後退移動可能に前記カード室に収納されるカード保持部材と、を具え、
前記筐体は、前記カード室の内壁からそのカード室内に突出する突部を有し、
前記カード保持部材は、前記筐体の前記開口部から露出する引き手部を一端部に有するとともに、その引き手部を持つ端部と反対の側の端部に、前記カード保持部材の前記進出移動によって前記カードと当接してそのカードを進出移動させるカード係合部を有し、かつ、前記対向面と反対の側の面に、前記カード保持部材の前記進出移動および前記後退移動方向に延在する案内部を有し、
前記筐体の前記突部は、前記案内部と係合して前記カード保持部材の前記進出移動および前記後退移動を案内することを特徴とする、カード装着装置。
【請求項２】
前記カードは、外方に露出する端子面を有し、
前記筐体は、前記カード室内にバネ端子を備えたコネクタ部を有し、
前記カードの端子面は、該カードが前記カード保持部材とともに前記後退移動をした所定位置で前記バネ端子と電気的に接続状態となることを特徴とする、請求項１記載のカード装着装置。
【請求項３】
前記カード保持部材の前記案内部は、前記対向面から該対向面と反対側の面まで貫通する長穴であり、
前記筐体の前記突部は、前記長穴に挿入され、その先端が前記対向面から突出し、かつ前記カード室に挿入される前記カードと摺接することを特徴とする、請求項２記載のカード装着装置。
【請求項４】
前記筐体の前記突部は、前記コネクタ部に備えられた前記バネ端子に対向して前記カード室内に設けられ、
前記カードは、前記カード保持部材とともに前記後退移動をした所定位置で前記バネ端子により前記突部に押圧されることを特徴とする、請求項３記載のカード装着装置。
【請求項５】
前記カード保持部材は、前記対向面のうち、前記後退移動をした所定位置で前記コネクタ部に備えられた前記バネ端子と対向する部位が他の部位と比較して厚く形成された肉厚部を有し、
前記カードは、前記カード保持部材とともに前記後退移動をした所定位置で前記バネ端子により前記肉厚部に押圧されることを特徴とする、請求項２記載のカード装着装置。
【請求項６】
前記筐体は、前記カード室内に固定されたカードホルダを有し、
前記カードホルダは、前記筐体の前記開口部に向いた入り口部を有して、その入り口部から挿入された前記カードを保持し、
前記カード保持部材は、前記カード室の前記突部が設けられた内壁と前記カードホルダとの間に配置され、
前記筐体の前記突部の、前記カード保持部材の前記長穴を貫通した先端部の先端面と、前記カードホルダの前記入り口部の内面とは滑らかに繋がれていることを特徴とする、請求項３または４項記載のカード装着装置。
【発明の詳細な説明】
【技術分野】
【０００１】
この発明は、カードを装着するカード装着装置に関するものである。
【背景技術】
【０００２】
カードを装着するカード装着装置としては従来、例えば特許文献１記載の複数のＩＣカードを省スペースで折畳式携帯電子装置に装着する装置が知られている。この従来のカード装着装置は、上記ＩＣカードの一種であるＳＩＭ（Subscriber Identity Module）カードを、ＳＩＭトレイ内に収めた状態でそのＳＩＭトレイと一緒に進退摺動させるようにして、折畳式携帯電子装置内に設けられたカード室に対し挿脱可能としている。
【特許文献１】特開２００４−２２２１７０号公報
【発明の開示】
【発明が解決しようとする課題】
【０００３】
しかしながら上記従来のカード装着装置では、ユーザーがＳＩＭカードを、誤ってＳＩＭトレイのカード受け側でなく反対側（下側）に挿入しようとした場合に、その誤挿入を阻止する構成がないため、誤挿入によるＳＩＭカードやＳＩＭトレイの破損を未然に抑制することができないという問題があった。
【課題を解決するための手段】
【０００４】
この発明は、上記課題を有利に解決することを目的とするものであり、この発明のカード装着装置は、開口部を介してカードが挿入されるカード室を有する筐体と、カードとの対向面を有するとともに、前記開口部より前記筐体外部側に進出移動および前記筐体内部側に後退移動可能に前記カード室に収納されるカード保持部材と、を具え、前記筐体は、前記カード室の内壁からそのカード室内に突出する突部を有し、前記カード保持部材は、前記筐体の前記開口部から露出する引き手部を一端部に有するとともに、その引き手部を持つ端部と反対の側の端部に、前記カード保持部材の前記進出移動によって前記カードと当接してそのカードを進出移動させるカード係合部を有し、かつ、前記対向面と反対の側の面に、前記カード保持部材の前記進出移動および前記後退移動方向に延在する案内部を有し、前記筐体の前記突部は、前記案内部と係合して前記カード保持部材の前記進出移動および前記後退移動を案内することを特徴としている。
【発明の効果】
【０００５】
この発明のカード装着装置にあっては、筐体が、開口部を介してカードが挿入されるカード室を有するとともに、そのカード室の内壁からそのカード室内に突出する突部を有しており、またカード保持部材が、カードとの対向面を有するとともに、前記開口部を介して前記筐体の外部側に進出移動および前記筐体の内部側に後退移動可能に前記カード室に収納され、そのカード保持部材がまた、筐体の開口部から露出する引き手部を一端部に有するとともに、その引き手部を持つ端部と反対の側の端部に、筐体の開口部を介する前記カード保持部材の前記進出移動によって、カード保持面に保持されたカードと当接してそのカードを進出移動させるカード係合部を有し、カード保持部材がさらに、カードとの対向面と反対の側の面に、前記カード保持部材の前記進出移動および前記後退移動の方向に延在する案内部を有し、筐体の突部が、その案内部と係合してカード保持部材の進出および後退移動を案内するので、カードの挿入の際は、筐体の開口部からカード室内に、そのカード室内に後退移動したままのカード保持部材のカードとの対向面にカードを添わせて摺動させて、あるいはカード室内から進出移動した状態のカード保持部材のカードとの対向面にカードを添わせてカード保持部材と一緒に移動させて挿入する。また、カードの取出しの際は、筐体の開口部から露出した、カード保持部材の引き手部を引くことで、筐体の開口部を介してカード保持部材をカード室から進出移動させると、カード係合部が、カードとの対向面に保持されたカードと係合してそのカードを進出移動させ、これによりカードが筐体の開口部からカード室外に取り出される。
【０００６】
そして、筐体のカード室の内壁からそのカード室内に突出する突部が、カード保持部材の進出および後退移動の際は、カード保持部材の、カードとの対向面と反対の側の面の、当該カード保持部材の進出および後退移動方向に延在する案内部と係合して、当該カード保持部材の進出および後退移動を案内し、カードの挿入の際は、もしも誤ってカードをカード保持部材の、カードとの対向面と反対の側の面に添わせて筐体の開口部からカード室内に挿入しようとすると、カードがカード室内に突出する突部に当接して、カードのそれ以上の挿入が確実に阻止される。
【０００７】
従ってこの発明のカード装着装置によれば、カード挿入の際に、誤ってカードとの対向面側でなく反対の面側に挿入しようとした場合に、その誤挿入を確実に阻止し得て、誤挿入によるカードやカード保持部材の破損を未然に抑制することができる。
【発明を実施するための最良の形態】
【０００８】
以下、本発明の実施の形態を実施例によって、図面に基づき詳細に説明する。ここに、図１は、携帯電子装置としての折畳式携帯電話機に設けられた、この発明のカード装着装置の一実施例の構成を示す、図２中のＡ−Ａ線に沿う断面図、図２は、その折畳式携帯電話機の文字入力側筐体を、電池蓋および電池を除いた状態でリアケース側から見て示す斜視図、図３（ａ），（ｂ）は、その折畳式携帯電話機を表示側筐体と文字入力側筐体とを相互に開いた状態でフロントケース側およびリアケース側から見てそれぞれ示す斜視図、図４（ａ），（ｂ）は、上記折畳式携帯電話機を表示側筐体と文字入力側筐体とを相互に閉じた状態で表示側筐体のリアケース側および文字入力側筐体のリアケース側から見てそれぞれ示す斜視図、そして図５は、その折畳式携帯電話機の文字入力側筐体の内部の構成をこの実施例のカード装着装置の構成とともに示す分解斜視図であり、図中、符号１はその折畳式携帯電話機、１０はこの実施例のカード装着装置を示す。
【０００９】
ここにおける折畳式携帯電話機１は、図３および図４に示すように、表示側筐体２と文字入力側筐体３とを備え、表示側筐体２は、フロントケース２ａとリアケース２ｂとが相互に嵌合されるとともにケース固定ネジで固定されて構成され、同様に、文字入力側筐体３も、フロントケース３ａとリアケース３ｂとが相互に嵌合されるとともにケース固定用ネジで固定されて構成されており、表示側筐体２と文字入力側筐体３とは、ヒンジ部４を介して相互に開閉自在に連結されている。
【００１０】
表示側筐体２は、フロントケース２ａとリアケース２ｂとの内部に実装した図示しない回路基板を内蔵し、その回路基板の表面に設置された液晶表示ユニット５がトリムプレートを介してフロントケース２ａから視認可能に配置されている。またその回路基板には、スピーカ等の各種電子部品が実装されて電気的に接続されている。
【００１１】
一方、文字入力側筐体３は、図５に示すように、フロントケース３ａとリアケース３ｂとの内部に、回路基板６を内蔵するとともに、その回路基板６の裏面に重ねて、通電部材および電磁シールド部材として金属製シールドケース７が設置されており、そのシールドケース７には、複数のキースイッチを搭載してキー基板を構成する図示しないキーフレキシブル基板（キーＦＰＣ）が重ねられ、そのキーＦＰＣに重ねて配置された図示しないキーシートの上記キースイッチと対向する位置にそれぞれ配置された、図３（ａ）に示す操作キー８が、フロントケース３ａから露出している。またその回路基板６には、マイク等の各種電子部品が実装されて電気的に接続されている。
【００１２】
さらに、文字入力側筐体３内には、図示しない電池の収納のために、図２に示すように、電池収納部３ｃが設けられ、文字入力側筐体３のリアケース３ｂには、電池の着脱用の開口３ｄが形成されて、そこに図３に示す如き開口３ｄを被覆する電池蓋９が着脱可能に装着される。
【００１３】
かかる折畳式携帯電話機１の文字入力側筐体３に設けられたこの実施例のカード装着装置１０は、例えばＩＣカードの一種であるＵＩＭ（User Identity Module）カード１１を上記折畳式携帯電話機１に挿脱可能に装着するためのもので、図１および図５に示すように、筐体としての、当該折畳式携帯電話機１の文字入力側筐体３と、カード保持部材としてのＵＩＭ引き出し１２と、を具えて構成される。ここで文字入力側筐体３は、電池収納部３ｃに開口する開口部３ｅを介してＵＩＭカード１１を挿入されるカード室３ｆをリアケース３ｂと回路基板６との間に形成するとともに、そのカード室３ｆ内に、バネ端子１３ｄを備えたコネクタ部１３ａおよびそのコネクタ部１３ａに対向する板金部分１３ｂを持つカードホルダ１３を有している。
【００１４】
またＵＩＭ引き出し１２は、略コ字形の横断面形状の略板状をなすとともに、一方の面（図１および図５では下面）にカード保持面（対向面）１２ａを有し、リアケース３ｂの裏面とカードホルダ１３の板金部分１３ｂとの間に、図１（ａ）に示すような筐体内部側の後退位置と図１（ｂ）に示すような筐体外部側の進出位置との間で摺動可能に配置されている。そしてカードホルダ１３は、回路基板６上に例えば半田付け等により実装されて、図１に示すように、そのコネクタ部１３ａと板金部分１３ｂとの間に、文字入力側筐体３の上記開口部３ｅに向き、ＵＩＭ引き出し１２のカード保持面に保持されたＵＩＭカード１１を挿入し得る入り口部１３ｃを持っている。なお、ＵＩＭカード１１は、情報を記憶する記憶媒体を有するとともに、その記憶媒体と電気的に接続された端子面を表面に有しており、コネクタ部１３ａに備えられたバネ端子１３ｄは、図１（ａ）に示すように、所定位置まで後退移動したＵＩＭ引き出し１２のカード保持面１２ａに保持されてカード室３ｆ内の所定挿入位置に位置するとともにカードホルダ１３内に位置したＵＩＭカード１１の、外方に露出した図示しない端子面と、弾性変形してＵＩＭカード１１を押しながら当接し、その端子面に電気的に接触する。
【００１５】
この実施例のカード装着装置１０について、以下に、図面を用いてさらに具体的に説明する。ここに、図６は、図２に示す上記折畳式携帯電話機の文字入力側筐体３を、さらにリアケース３ｂを除いた状態でリアケース側から見て示す斜視図、図７は、その図６に示す上記折畳式携帯電話機の文字入力側筐体３を、さらにＵＩＭ引き出し１２を除いた状態で示す斜視図、図８は、上記実施例の実施例のカード装着装置１０のＵＩＭ引き出し１２を図６に示すと同じ向きで示す斜視図、図９は、上記実施例の実施例のカード装着装置１０における上記文字入力側筐体３のリアケース３ｂを裏面側から見て示す平面図、図１０（ａ），（ｂ）は、そのリアケース３ｂの突部３ｆに嵌合したＵＩＭ引き出し１２の後退状態および進出状態についてそれぞれ裏面側から見て示す斜視図、そして図１１は、図２に示す上記折畳式携帯電話機の文字入力側筐体３を、ＵＩＭ引き出し１２が進出してＵＩＭカード１１が取り出された状態で示す斜視図である。
【００１６】
図８並びに図１に示すように、ＵＩＭ引き出し１２はその一端部（図１では左端部）に、開口部３ｅから露出してカード保持面１２ａと反対の側の面から突出する突出部を形成する引き手部１２ｂを有するとともに、その引き手部１２ｂを持つ端部と反対の側の端部（図１では右端部）に、カード保持面１２ａから突出したカード係合部１２ｃを有しており、このカード係合部１２ｃは、図１（ｂ）に示すように、文字入力側筐体３の開口部３ｅを介するＵＩＭ引き出し１２の進出移動によって、カード保持面１２ａに保持されたＵＩＭカード１１と当接してそのカードを進出移動させる。
【００１７】
さらにＵＩＭ引き出し１２は、図８に示すように、引き手部１２ｂとカード係合部１２ｃとを結ぶ方向である進退移動方向（図１では左右方向）に対し横方向の両端部にカード保持面１２ａから突出してその進退移動方向へ延在する嵌合部１２ｄを有して、前述のように横断面形状が略コ字形をなしており、それらの嵌合部１２ｄの間に、図６に示すように、カードホルダ１３の両側部が嵌合する。そしてＵＩＭ引き出し１２の、引き手部１２ｂとカード係合部１２ｃと横方向両端部の嵌合部１２ｄとで囲まれた平坦部には、図８に示すように、上記進退移動方向へ延在する案内部としての二本の案内長穴１２ｅが形成されており、図１に示すように、その案内長穴１２ｅよりも引き手部１２ｂ寄りの平坦部は、引き手部１２ｂまでカード保持面１２ａ側が傾斜するよう徐々に肉厚を薄くしてＵＩＭカード１１を入れ易くした挿入部とされている。またカードホルダに形成された平坦部の、ＵＩＭ引き出し１２が所定位置まで後退移動した状態においてコネクタ部１３ａに備えられたバネ端子１３ｄに対向する部位には、引き手部１２ｂ寄りの平坦部に比べて肉厚な肉厚部が形成されている。
【００１８】
一方、文字入力側筐体３のリアケース３ｂの裏面には図１および図１０に示すように、カードホルダ１３のコネクタ部１３ａに備えられたバネ端子１３ｄに対向するとともに板金部分１３ｂの上記入り口部１３ｃ側の端部に隣接する二個の突部３ｇが形成されており、これらの突部３ｇは、図１０（ａ），（ｂ）に示すように、ＵＩＭ引き出し１２の二本の案内長穴１２ｅと係合して、ＵＩＭ引き出し１２の進退移動を案内する。なお、これらの突部３ｇは、リアケース３ｂの表側のヒケの発生を防止しつつ突部自体の剛性を確保し、かつ対応する長穴１２ｅが細くなりすぎて成形困難にならないよう、図９に示すように、正面から見てコ字状に形成されている。また、これらの突部３ｇは、図１に示すように、案内長穴１２ｅを貫通してカード保持面１２ａから僅かに突出し、突部３ｇの先端面が板金部分１３ｂの裏面と同一平面上に位置して滑らかに繋がっている。
【００１９】
かかるこの実施例のカード装着装置１０にあっては、文字入力側筐体３が、開口部３ｅを介してＵＩＭカード１１が挿入されるカード室３ｆを有するとともに、そのカード室３ｆの内壁からそのカード室３ｆ内に突出する突部３ｇを有しており、またＵＩＭ引き出し１２が、カード保持面１２ａを有するとともに、上記開口部３ｅを介して進出および後退移動可能にカード室３ｆに収納され、そのＵＩＭ引き出し１２がまた、上記開口部３ｅから露出する引き手部１２ｂを一端部に有するとともに、その引き手部１２ｂを持つ端部と反対の側の端部に、上記開口部３ｅを介する当該ＵＩＭ引き出し１２の進出移動によって、カード保持面１２ａに保持されたＵＩＭカード１１と係合してそのＵＩＭカード１１を進出移動させるカード係合部１２ｃを有し、ＵＩＭ引き出し１２がさらに、カード保持面１２ａと反対の側の面に、当該ＵＩＭ引き出し１２の進出および後退移動方向に延在する案内長穴１２ｅを有し、上記突部３ｇがその案内長穴１２ｅと当接して、ＵＩＭ引き出し１２の嵌合部１２ｄとカードホルダ１３の両側部との嵌合構造と併せて、ＵＩＭ引き出し１２の進出および後退移動を案内する。
【００２０】
上記の構成により、ＵＩＭカード１１の挿入の際は、電池蓋９および電池を外した文字入力側筐体３の電池収納部３ｃに開口する開口部３ｅからカード室３ｆ内に、そのカード室３ｆ内に後退移動したままのＵＩＭ引き出し１２のカード保持面１２ａにＵＩＭカード１１を添わせて摺動させて、あるいはカード室３ｆ内から進出移動した状態のＵＩＭ引き出し１２のカード保持面１２ａにＵＩＭカード１１を添わせてＵＩＭ引き出し１２と一緒に移動させて挿入する。これにより、図１（ａ）および図２に示すように、ＵＩＭカード１１が上記開口部３ｅからカード室３ｆ内に挿入される。また、ＵＩＭカード１１の取出しの際は、電池蓋９および電池を外した文字入力側筐体３の電池収納部３ｃに開口する開口部３ｅから露出した、ＵＩＭ引き出し１２の引き手部１２ｂを引くことで、上記開口部３ｅを介してＵＩＭ引き出し１２をカード室３ｆから進出移動させると、カード係合部１２ｃが、カード保持面１２ａに保持されたＵＩＭカード１１と係合してそのＵＩＭカード１１を進出移動させ、これにより、図１（ｂ）および図１１に示すように、ＵＩＭカード１１が上記開口部３ｅから引き出されて、カード室３ｆ外に取り出される。
【００２１】
そしてこの実施例のカード装着装置１０にあっては、文字入力側筐体３のカード室３ｆの内壁からそのカード室３ｆ内に突出する突部３ｇが、ＵＩＭカード１１の挿入の際は、図１２（ａ）の斜視図および図１２（ｂ）の断面図に示すように、もしも誤ってＵＩＭカード１１をＵＩＭ引き出し１２の、カード保持面１２ａと反対の側の面に添わせて文字入力側筐体３の電池収納部３ｃに開口する開口部３ｅからカード室３ｆ内に挿入しようとすると、ＵＩＭカード１１がカード室３ｆ内に突出する突部３ｇに当接して、ＵＩＭカード１１のそれ以上の挿入が確実に阻止される。従ってこの実施例のカード装着装置１０によれば、ＵＩＭカード１１の挿入の際に、誤ってカード保持面１２ａ側でなく反対側に挿入しようとした場合に、その誤挿入を確実に阻止し得て、誤挿入によるＵＩＭカード１１やＵＩＭ引き出し１２の破損を未然に抑制することができる。
【００２２】
また、この実施例のカード装着装置１０によれば、ＵＩＭカード１１の端子面がＵＩＭ引き出し１２とともに後退移動した所定位置でコネクタ部１３ａに備えられたバネ端子１３ｄと当接され電気的接続状態となるが、この際、バネ端子１３ｄが弾性変形してＵＩＭカード１１を押圧する構成となるため、電気的接続状態をより好適に維持することができる。そして、この実施例のカード装着装置１０では、ＵＩＭ引き出し１２の案内長穴１２ｃに、文字入力側筐体３の突部３ｇが貫通し、その突部３ｇが、ＵＩＭ引き出し１２の案内長穴１２ｃの周囲の厚さよりも高く形成されてその周囲のカード保持面１２ａから突出して、図１（ａ）に示すように、カード室３ｆに挿入されるＵＩＭカード１１と摺接してそのＵＩＭカード１１をカード室３ｆ内で案内する。すなわち、ＵＩＭカード１１は突部３ｇと摺接することで後退移動方向への移動が規制されるため、好適にカード室３ｆまで案内されることとなる。また突部３ｇは、所定位置まで後退移動したＵＩＭ引き出し１２のカード保持面１２ａに保持されたＵＩＭカード１１を、コネクタ部１３ａがそのＵＩＭカード１１の端子面に接触してその端子面に対し電気的接続状態となっている状態で、そのコネクタ部１３ａに備えられたバネ端子１３ｄにより押圧されるので、ＵＩＭカード１１の端子面とコネクタ部１３ａとの電気的接続状態を好適に維持することができる。
【００２３】
さらに、この実施例のカード装着装置１０によれば、ＵＩＭ引き出し１２は、カード保持面１２ａを有する部位のうちＵＩＭ引き出し１２が所定位置まで後退移動した状態においてコネクタ部１３ａに対向する部位に他の部位と比較して厚く形成された肉厚部を有しており、その肉厚部が、所定位置まで後退移動したＵＩＭ引き出し１２のカード保持面１２ａに保持されたＵＩＭカード１１を、コネクタ部１３ａがそのＵＩＭカード１１の端子面に接触してその端子面に対し電気的接続状態となっている状態で、そのコネクタ部１３ａに備えられたバネ端子１３ｄにより押圧されるので、この点でも、ＵＩＭカード１１の端子面とコネクタ部１３ａとの電気的接続状態を好適に維持することができる。なお、ＵＩＭ引き出し１２のカード保持面１２ａを有する部位のうち案内長穴１２ｃの周囲の部位の厚さを微調整することで板金部分１３ｂをコネクタ部１３ａへ向けて僅かに撓ませて、板金部分１３ｂでもＵＩＭカード１１をコネクタ部１３ａへ向けて押圧するようにしても良い。
【００２４】
さらに、この実施例のカード装着装置１０によれば、文字入力側筐体３は、カード室３ｆ内に固定されたカードホルダ１３を有し、そのカードホルダ１３は、文字入力側筐体３の電池収納部３ｃに開口する開口部３ｅに向いた入り口部１３ｃを有して、その入り口部１３ｃから挿入されたＵＩＭカード１１を保持し、ＵＩＭ引き出し１２は、カード室３ｆの突部３ｇが設けられた内壁とそのカードホルダ１３との間に配置され、その突部３ｇの、ＵＩＭ引き出し１２の案内長穴１２ｃを貫通した先端部の先端面と、そのカードホルダ１３の入り口部１３ｃを形成する板金部分１３ｂの裏面（内面）とは滑らかに繋がれているので、カード保持面１２ａに添ったＵＩＭカード１１の挿入の際に、ＵＩＭカード１１がカードホルダ１３の入り口部１３ｃを形成する板金部分１３ｂに当接して引っ掛かるのを防止し得て、ＵＩＭカード１１の円滑な挿入を可能にすることができる。
【００２５】
また、この実施例のカード装着装置においては、ＵＩＭ引き出し１２がＵＩＭカード１１に対して図１における上側に配置されているため、使用者は、ＵＩＭ引き出し１２を後退移動させる際には、ＵＩＭカード１１よりも上側に配置される引き手部１２ｂを後退方向に移動させるだけで、ＵＩＭカード１１を後退移動させることができ、操作性がよい。すなわち、仮にＵＩＭ引き出し１２がＵＩＭカード１１に対して図１における下側に配置されていた場合は、ＵＩＭカード１１を進出移動させるために、ＵＩＭカード１１よりも下側に配置されることとなる引き手部１２ｂを後退方向に移動させる必要があるため、ＵＩＭカード１１の進出移動の際、ＵＩＭカードが邪魔になりカード装着装置としての操作性に難があると考えられるが、この実施例のカード装着装置においては、引き手部１２ｂは、ＵＩＭカード１１よりも上側に配置されるため、ＵＩＭカードが邪魔にならず、操作性がよい。
【００２６】
なお、このようにＵＩＭ引き出し１２がＵＩＭカード１１に対して図１における上側に配置され、カード保持面１２ａが下側を向いている場合には、使用者は誤ってＵＩＭカード１１をカード保持面１２ａと反対側の面に添わせてカード室３ｆ内に挿入しようとしてしまう場合も考えられるが、先に示したようにカード室内３ｆに設けられた突部３ｇが好適にＵＩＭカード１１のそれ以上の挿入を阻止するため、本発明の有用性は高いといえる。
【００２７】
以上、図示例に基づき説明したが、この発明は上述の例に限定されるものでなく、特許請求の範囲の記載範囲内で適宜変更し得るものであり、例えばこの発明のカード装着装置は、携帯電話機以外の、例えば無線通信機能付きパームトップコンピュータや無線通信機能付きゲーム機等の携帯電子装置にも、あるいはそれ以外の電子装置にも適用することができる。またこの発明のカード装着装置におけるカードは、ＵＩＭカード１１以外の、例えばＳＩＭカード等のＩＣカードでも良い。
【００２８】
また、上述した実施例ではＵＩＭ引き出し１２の引き手部１２ｂを、文字入力側筐体３の電池収納部３ｃに開口する開口部３ｅから露出させるとともにカード保持面１２ａと反対の側の面から突出させたが、代わりにカード保持部材の引き手部に、指先や爪等が掛かる凹部やスリットを形成しても良い。
【００２９】
さらに、上述した実施例ではＵＩＭ引き出し１２に案内部として案内長穴１２ｅを形成したが、代わりに案内溝を形成してそこに上記実施例よりも高さを低めた突部３ｇを係合させるようにしても良い。
【産業上の利用可能性】
【００３０】
かくしてこの発明のカード装着装置によれば、カード挿入の際に、誤ってカード保持面側でなく反対側に挿入しようとした場合に、その誤挿入を好適に阻止し得て、誤挿入によるカードやカード保持部材の破損を未然に抑制することができる。
【図面の簡単な説明】
【００３１】
【図１】（ａ），（ｂ）は、携帯電子装置としての折畳式携帯電話機に設けられた、この発明のカード装着装置の一実施例の構成を示す、図２中のＡ−Ａ線に沿う断面図である。
【図２】上記折畳式携帯電話機の文字入力側筐体を、電池蓋および電池を除いた状態でリアケース側から見て示す斜視図である。
【図３】（ａ），（ｂ）は、上記折畳式携帯電話機を表示側筐体と文字入力側筐体とを相互に開いた状態でフロントケース側およびリアケース側から見てそれぞれ示す斜視図である。
【図４】（ａ），（ｂ）は、上記折畳式携帯電話機を表示側筐体と文字入力側筐体とを相互に閉じた状態で表示側筐体のリアケース側および文字入力側筐体のリアケース側から見てそれぞれ示す斜視図である。
【図５】上記折畳式携帯電話機の文字入力側筐体の内部の構成をこの実施例のカード装着装置の構成とともに示す分解斜視図である。
【図６】図２に示す上記折畳式携帯電話機の文字入力側筐体を、さらにリアケースを除いた状態でリアケース側から見て示す斜視図である。
【図７】図６に示す上記折畳式携帯電話機の文字入力側筐体を、さらにＵＩＭ引き出しを除いた状態で示す斜視図である。
【図８】上記実施例の実施例のカード装着装置のＵＩＭ引き出しを図６に示すと同じ向きで示す斜視図である。
【図９】上記実施例の実施例のカード装着装置における上記文字入力側筐体のリアケースを裏面側から見て示す平面図である。
【図１０】（ａ），（ｂ）は、上記リアケースの突部に嵌合したＵＩＭ引き出しの後退状態および進出状態についてそれぞれリアケース裏面側から見て示す斜視図である。
【図１１】図２に示す上記折畳式携帯電話機の文字入力側筐体を、ＵＩＭ引き出しが進出してＵＩＭカードが取り出された状態で示す斜視図である。
【図１２】（ａ），（ｂ）は、上記実施例のカード装着装置がＵＩＭカードの誤挿入を阻止する状態をそれぞれ示す、上記折畳式携帯電話機の文字入力側筐体のリアケース側から見た斜視図および図１と同様の位置での断面図である。
【符号の説明】
【００３２】
１  折畳式携帯電話機
２  表示側筐体
２ａ，３ａ  フロントケース
２ｂ，３ｂ  リアケース
３  文字入力側筐体
３ｃ  電池収納部
３ｄ  開口
３ｅ  開口部
３ｆ  カード室
３ｇ  突部
４  ヒンジ部
５  液晶表示ユニット
６  回路基板
７  シールドケース
８  操作キー
９  電池蓋
１０  カード装着装置
１１  ＵＩＭカード
１２  ＵＩＭ引き出し
１２ａ  カード保持面
１２ｂ  引き手部
１２ｃ  カード係合部
１２ｄ  嵌合部
１２ｅ  案内長穴
１３  カードホルダ
１３ａ  コネクタ部
１３ｂ  板金部分
１３ｃ  入り口部
【図１】
2008130461.tif 000003
【図２】
2008130461.tif 000004
【図３】
2008130461.tif 000005
【図４】
2008130461.tif 000006
【図５】
2008130461.tif 000007
【図６】
2008130461.tif 000008
【図７】
2008130461.tif 000009
【図８】
2008130461.tif 000010
【図９】
2008130461.tif 000011
【図１０】
2008130461.tif 000012
【図１１】
2008130461.tif 000013
【図１２】
2008130461.tif 000014